(57)【要約】【課題】どんな形状のエンボスキャリヤテープに加工した場合にも機械強度（割れ性含む）、成形性、スリット性、表面導電性、外観及びコスト的にも優れたバランスの良い導電性シート及び電子部品搬送用容器を提供する。【解決手段】シートに優れたスリット性を賦与するスチレン系樹脂組成物からなる基材シートの少なくとも片面に、表面固有抵抗値が１×１０４Ω／□以上、１×１０１０Ω／□未満の帯電防止性能を有する導電層を設けてなる導電性シートであり、シートに優れたスリット性を賦与するスチレン系樹脂組成物が、スチレン系樹脂（Ａ）９９．５〜８５重量％、ポリオレフィン（Ｃ）０〜１０重量％及びフィラー（Ｂ）０．２〜１０重量％からなるポリマーアロイを含んでなることが好ましい。また、導電層が、シートに優れたスリット性を賦与するスチレン系樹脂組成物と共押出法により多層シート化されたものであることが好ましい。【特許請求の範囲】
【請求項１】
シートに優れたスリット性を賦与するスチレン系樹脂組成物からなる基材シートの少なくとも片面に表面固有抵抗値が１×１０４Ω／□以上、１×１０１０Ω／□未満の帯電防止性能を有する導電層を設けてなることを特徴とする導電性シート。
【請求項２】
シートに優れたスリット性を賦与するスチレン系樹脂組成物からなる基材シートのＪＩＳ−Ｋ−６７３４における引張破断伸度が５０％以下である請求項１記載の導電性シート。
【請求項３】
シートに優れたスリット性を賦与するスチレン系樹脂組成物が、スチレン系樹脂（Ａ）とフィラー（Ｂ）をアロイしたものを含んでなる請求項１又は２記載の導電性シート。
【請求項４】
シートに優れたスリット性を賦与するスチレン系樹脂組成物が、２種類以上のスチレン系樹脂（Ａ）とフィラー（Ｂ）をアロイしたものを含んでなる請求項１又は２記載の導電性シート。
【請求項５】
シートに優れたスリット性を賦与するスチレン系樹脂組成物が、スチレン系樹脂（Ａ）、ポリオレフィン系樹脂（Ｃ）及びフィラー（Ｂ）からなるポリマーアロイを含んでなる請求項１又は２記載の導電性シート。
【請求項６】
シートに優れたスリット性を賦与するスチレン系樹脂組成物が、スチレン系樹脂（Ａ）９９．５〜８５重量％、ポリオレフィン系樹脂（Ｃ）０〜１０重量％及びフィラー（Ｂ）０．２〜１０重量％からなるポリマーアロイを含んでなる請求項１〜５のいずれか１項に記載の導電性シート。
【請求項７】
シートに優れたスリット性を賦与するスチレン系樹脂組成物が、スチレン系樹脂（Ａ）、ポリオレフィン系樹脂（Ｃ）、芳香族ビニル化合物とジエン系化合物よりなる共重合体樹脂（Ｄ）及びフィラー（Ｂ）からなるポリマーアロイを含んでなる請求項１又は２記載の導電性シート。
【請求項８】
シートに優れたスリット性を賦与するスチレン系樹脂組成物が、スチレン系樹脂（Ａ）９９．５〜８５重量％、ポリオレフィン系樹脂（Ｃ）０〜１０重量％、芳香族ビニル化合物とジエン系化合物よりなる共重合体樹脂（Ｄ）０．１〜１０重量％及びフィラー（Ｂ）０．２〜１０重量％からなるポリマーアロイを含んでなる請求項１、２又は７記載の導電シート。
【請求項９】
導電層が、シートに優れたスリット性を賦与するスチレン系樹脂組成物と共押出法により多層シート化されたものである請求項１〜８のいずれか１項に記載の導電性シート。
【請求項１０】
導電層に、シートに優れたスリット性を賦与するスチレン系樹脂組成物と同じ樹脂成分が１種類以上配合されている請求項１〜９のいずれか１項に記載の導電性シート。
【請求項１１】
フィラーがカーボンブラックである請求項１〜１０のいずれか１項に記載の導電性シート。
【請求項１２】
請求項１〜１１のいずれか１項に記載の導電性シートを成形してなることを特徴とする電子部品搬送用容器。
【発明の詳細な説明】
【０００１】
【発明の属する技術分野】
本発明は導電性シート、特にＩＣ等の電子部品の搬送及び保管に利用されるエンボスキャリヤテープやトレー等の製造で使用される導電性シートに関するものである。
【０００２】
【従来の技術】
電子部品の表面実装化が大きく進んできており、それに伴って表面実装技術も大幅に進歩し、より高性能でより小型なチップ型電子部品が開発され、それらの需要が急増しており、これらを搬送、保管する包装形態の１つとしてエンボスキャリヤテープが用いられている。チップ型電子部品はエンボスキャリヤテープの各ポケットに収納され、蓋体であるカバーテープでシールされた後、リールに巻き取られた状態で保管、搬送され、表面実装機のカセットフィーダーへ装着される。次に収納されているチップ型電子部品の回路基板への組付けはエンボスキャリヤテープを順々に送り出しながらカバーテープを剥離してチップ型電子部品を自動的にピックアップして回路基板の所定の場所へ自動的に配置するという方法で行われている。この工程ではチップ型電子部品とエンボスキャリヤテープのポケット内部面との摩擦による静電気やカバーテープを剥がす工程において発生する静電気によってエンボスキャリヤテープが帯電する為にチップ型電子部品がポケットより取り出すことが出来なかったり、静電気破壊が発生するという問題があり、それらを解決する為にエンボスキャリヤテープに導電性を付与して静電気の蓄積を防止することが必要とされ、カーボンブラック等の導電性フィラーを樹脂に練り込んだタイプのシートや導電性フィラーを含む塗料をシート表面に塗布したシート等を真空成形、圧空成形、プラグ成形及びプレス成形等によって成形した導電性エンボスキャリヤテープが用いられている。
【０００３】
ベース樹脂にスチレン系樹脂を用いた導電性エンボスキャリヤテープは開発当初、従来使用されていた塩化ビニル樹脂を用いたものと比較して割れ易いという問題があり、それを改善する為に特許文献１に示される様に表裏面の導電層と導電成分を含まないスチレン系樹脂（ナチュラルＰＳ系樹脂）からなる中間層を共押出して強度ＵＰを図った検討がなされ実用化されている。しかし、中間層は強度ＵＰを目的に引張伸度や衝撃強度が大きなものが用いられた為、エンボスキャリヤテープを成形する為のマイクロスリット時やエンボスキャリヤテープを成形する工程の二次スリット時に側面にヒゲが発生し易いという問題が生じていた。その為、引張伸度や衝撃強度が小さい単層の導電性シートが開発されたが成形時にポケットコーナー部において穴が開き易く、引張強度が弱い為エンボスキャリヤテープのポケットに電子部品を挿入後カバーテープとシールする工程や実装機で電子部品を取り出す工程において割れが発生し易く、割れの向上、成形性及び表面導電性の３つの要求特性を同時に満たすものの開発は出来ていなかった。同時に原料コストも高価な為、限られた範囲でしか使用されていなかった。
一般に割れ性を改良する為に衝撃強度をＵＰしたスチレン系樹脂は衝撃強度と共に伸度も大きくなり、それらを多層シートの１層以上に用いた場合、マイクロスリット時やエンボスキャリヤテープを成形する工程の二次スリット時において側面にヒゲが発生し易く、その問題を解決した単層の導電性シートでは機械強度、成形性とコストに問題があり、機械強度（割れ性含む）、成形性、表面導電性及びコストの全ての要求特性を同時に満たすものの開発は出来ていなかった。本発明は、シートに優れたスリット性を賦与するスチレン系樹脂組成物よりなる基材シートの少なくとも片面に導電層を設けた構成にする事により、機械強度（割れ性含む）、成形性、表面導電性及びコストの全ての要求特性を満たす導電性シート及び電子部品搬送用容器が得られる事を見出し、本発明を完成するに至った。
【０００４】
【特許文献１】
米国特許ＵＳＰ４４７８９０３号公報
【０００５】
【発明が解決しようとする課題】
本発明はかかる問題点を解決するものであり、どんな形状のエンボスキャリヤテープに加工した場合にも機械強度（割れ性含む）、成形性、スリット性、表面導電性、外観及びコスト的にも優れたバランスの良い導電性シート及び電子部品搬送用容器を提供しようとするものである。
【０００６】
【課題を解決するための手段】
本発明は、
（１）  シートに優れたスリット性を賦与するスチレン系樹脂組成物からなる基材シートの少なくとも片面に、表面固有抵抗値が１×１０４Ω／□以上、１×１０１０Ω／□未満の帯電防止性能を有する導電層を設けてなることを特徴とする導電性シート、
（２）  シートに優れたスリット性を賦与するスチレン系樹脂組成物からなる基材シートのＪＩＳ−Ｋ−６７３４における引張破断伸度が５０％以下である（１）記載の導電シート、
（３）  シートに優れたスリット性を賦与するスチレン系樹脂組成物が、スチレン系樹脂（Ａ）とフィラー（Ｂ）をアロイしたものを含んでなる（１）又は（２）記載の導電性シート、
（４）  シートに優れたスリット性を賦与するスチレン系樹脂組成物が、２種類以上のスチレン系樹脂（Ａ）とフィラー（Ｂ）をアロイしたものを含んでなる（１）又は（２）記載の導電性シート、
（５）  シートに優れたスリット性を賦与するスチレン系樹脂組成物が、スチレン系樹脂（Ａ）、ポリオレフィン系樹脂（Ｃ）及びフィラー（Ｂ）からなるポリマーアロイを含んでなる（１）又は（２）記載の導電性シート、
（６）  シートに優れたスリット性を賦与するスチレン系樹脂組成物が、スチレン系樹脂（Ａ）９９．５〜８５重量％、ポリオレフィン系樹脂（Ｃ）０〜１０重量％及びフィラー（Ｂ）０．２〜１０重量％からなるポリマーアロイを含んでなる（１）〜（５）のいずれかに記載の導電性シート、
（７）  シートに優れたスリット性を賦与するスチレン系樹脂組成物が、スチレン系樹脂（Ａ）、ポリオレフィン系樹脂（Ｃ）、芳香族ビニル化合物とジエン系化合物よりなる共重合体樹脂（Ｄ）及びフィラー（Ｂ）からなるポリマーアロイを含んでなる（１）又は（２）記載の導電シート、
（８）  シートに優れたスリット性を賦与するスチレン系樹脂組成物が、スチレン系樹脂（Ａ）９９．５〜８５重量％、ポリオレフィン系樹脂（Ｃ）０〜１０重量％、芳香族ビニル化合物とジエン系化合物よりなる共重合体樹脂（Ｄ）０．１〜１０重量％及びフィラー（Ｂ）０．２〜１０重量％からなるポリマーアロイを含んでなる（１）、（２）、（７）のいずれかに記載の導電性シート、
（９）  導電層が、シートに優れたスリット性を賦与するスチレン系樹脂組成物と共押出法により多層シート化されたものである（１）〜（８）のいずれかに記載の導電性シート、
（１０）  導電層に、シートに優れたスリット性を賦与するスチレン系樹脂組成物と同じ樹脂成分が１種類以上配合されてなる（１）〜（９）のいずれかに記載の導電性シート、
（１１）  フィラーがカーボンブラックである（１）〜（１０）のいずれかに記載の導電性シート、
（１２）  （１）〜（１１）のいずれかに記載の導電性シートを成形してなることを特徴とする電子部品搬送用容器である。
【０００７】
【発明の実施の形態】
本発明に用いられるシートに優れたスリット性を賦与するスチレン系樹脂組成物としては、スチレン系樹脂（Ａ）とフィラー（Ｂ）をアロイしたもの、スチレン系樹脂（Ａ）、ポリオレフィン系樹脂（Ｃ）及びフィラー（Ｂ）をアロイしたもの、スチレン系樹脂（Ａ）、ポリオレフィン系樹脂（Ｃ）、芳香族ビニル化合物とジエン系化合物よりなる共重合体樹脂（Ｄ）及びフィラー（Ｂ）よりなるポリマーアロイ等が挙げられる。スチレン系樹脂としては、特に限定するものではなく、一般に用いられるもので、透明スチレン樹脂、耐衝撃性スチレン樹脂及びこれらの混合物またはＡＢＳ樹脂等である。
【０００８】
本発明に用いるフィラー（Ｂ）としては、ファーネスブラック、チャンネルブラック、アセチレンブラック、ケッチェンブラック、天然黒鉛、人造黒鉛等のカーボンブラックやシリカ、アルミナ等の酸化物を主成分とするもの、タルク、マイカ等の珪酸塩を主成分とするもの、炭酸カルシウム等の炭酸塩を主成分とするもの、硫酸バリウム等の硫酸塩を主成分とするものが無機充填材として挙げられる。
本発明に用いるポリオレフィン系樹脂（Ｃ）としては、エチレン、プロピレン、ブテン−１、ヘプテンー１、ペンテンー１、ヘキセン−１，３−メチルブテン−１、オクテンー１等のα−オレフィンの単独重合体、ランダム又はブロック等の形態をなす相互共重合体、これらα−オレフィンの過半重量と他の不飽和単量体とのランダム、ブロックもしくはグラフト等の共重合体、またはこれらの重合体の酸化、ハロゲン化、スルホン化したものであり、少なくとも部分的に結晶性を示すものである。ここで他の不飽和単量体としては例えば、アクリル酸、メタクリル酸、マレイン酸、イタコン酸、アクリル酸メチル、アクリル酸エチル、メタクリル酸メチル、無水マレイン酸アリールマレイン酸イミド、アルキルマレイン酸イミド等の不飽和有機酸またはその誘導体、及び酢酸ビニル、酪酸ビニル等のビニルエステル、スチレン、メチルスチレン等の芳香族ビニル化合物、ビニルトリメチルメトキシシラン、γ−メタクリロイルオキシプロピルトリメトキシシラン等のビニルシラン、ジシクロペンタジエン、４−エチリデン−２−ノルボルネン等の非共役ジエンなどを用いる事が出来る。共重合体の場合には、α−オレフィンや他の単量体は、２種に限らず、複数種からなるものであっても良い。
【０００９】
本発明に用いる芳香族ビニル化合物とジエン系化合物よりなる共重合体樹脂（Ｄ）としては、スチレン−ブタジエンブロック共重合樹脂、スチレン−ブタジエン−スチレントリブロック共重合樹脂、ブタジエン成分の共役ジエン部分を水素添加した共重合樹脂、スチレン−イソプレン−スチレン共重合樹脂、イソプレン成分の共役ジエン部分を水素添加した共重合樹脂、スチレン−ブタジエン−イソプレン−スチレン共重合樹脂等である。
【００１０】
本発明におけるスチレン系樹脂（Ａ）とフィラー（Ｂ）をアロイしたもの、スチレン系樹脂（Ａ）、ポリオレフィン系樹脂（Ｃ）及びフィラー（Ｂ）をアロイしたもの、スチレン系樹脂（Ａ）、ポリオレフィン系樹脂（Ｃ）、芳香族ビニル化合物とジエン系化合物よりなる共重合体樹脂（Ｄ）及びフィラー（Ｂ）よりなるポリマーアロイしたものを基材シートとした導電シートは、機械強度（割れ性含む）、マイクロスリット性、エンボスキャリヤテープ成形工程の二次スリット性及びコスト性のバランスに優れたもので、従来の導電性シートと同じ導電性及び成形性を有している。シートに優れたスリット性を賦与するスチレン系樹脂組成物において、スチレン系樹脂（Ａ）、ポリオレフィン系樹脂（Ｃ）とフィラー（Ｂ）は、９９．５〜８５重量％：０〜１０重量％：０．２〜１０重量％、好ましくは９９〜９０重量％：０．５〜９重量％：０．５〜６重量％の範囲で配合することが好ましい。スチレン系樹脂（Ａ）が８５重量％より少なくなると機械強度特性が弱く、割れが発生し易くなり、９９．５重量％より多くなるとスリット性が悪くなる。ポリオレフィン系樹脂（Ｃ）が１０重量％より多くなると機械特性が弱くなり、割れが発生し易くなる。ポリオレフィン系樹脂（Ｃ）はフィラー量が増加してきた時に分散剤的な効果を発揮する為、フィラー量が多い配合の場合に添加するのが良い。フィラー（Ｂ）が０．２重量％より少なくなるとスリット性が悪くなり、１０重量％より多くなると機械特性が弱くなり、割れが発生し易くなる。
【００１１】
シートに優れたスリット性を賦与するスチレン系樹脂組成物において、スチレン系樹脂（Ａ）、ポリオレフィン系樹脂（Ｃ）、芳香族ビニル化合物とジエン系化合物の共重合体樹脂（Ｄ）とフィラー（Ｂ）は、９９．５〜８５重量％：０〜１０重量％：０．１〜１０重量％：０．２〜１０重量％である。スチレン系樹脂（Ａ）が８５重量％より少なくなると機械強度特性が弱く、割れが発生し易くなり、９９．５重量％より多くなるとスリット性が悪くなる。ポリオレフィン系樹脂（Ｃ）が１０重量％より多くなると機械特性が弱くなり、割れが発生し易くなる。ポリオレフィン系樹脂（Ｃ）はフィラー量が増加してきた時に分散剤的な効果を発揮する為、フィラー量が多い配合の場合に添加するのが良い。芳香族ビニル化合物とジエン系化合物の共重合体樹脂（Ｄ）は、フィラー量が増加してきた時にポリオレフィン系樹脂（Ｃ）と一緒に使用することで更にフィラーの分散剤的な効果を向上させる為、フィラー量が多い場合にポリオレフィン系樹脂（Ｃ）と一緒に添加するのが良い。芳香族ビニル化合物とジエン系化合物の共重合体樹脂（Ｄ）が０．１重量％未満では、フィラーに対する分散剤的な効果が向上せず、１０重量％より多くなると機械特性が弱くなる。フィラー（Ｂ）が０．２重量％より少なくなるとスリット性が悪くなり、１０重量％より多くなると機械特性が弱くなり、割れが発生し易くなる。
【００１２】
本発明における導電層にスチレン系樹脂組成物と同じ樹脂成分を１種類以上配合するとシートに優れたスリット性を賦与するスチレン系樹脂組成物との層間密着強度が向上し、スリット時の側面ヒゲの発生がより抑制される。
【００１３】
本発明において導電層の形成方法は、好ましくは共押出を用いるのが幅広い樹脂選択が行え望ましいがスチレン系樹脂にダメージの少ないアルコール系や水系の導電性塗料をグラビヤコーティング法等の一般的に知られた方法で塗布して形成しても特に問題は無い。
【００１４】
また、電子部品搬送用容器はこれら導電性シートの導電層側をポケット内壁面として、真空成形、圧空成形、プラグ成形及びプレス成形等で作製される。
【００１５】
【実施例】
以下本発明を実施例により更に詳細に説明するがこれは単なる例示であり、本発明はこれに限定されるものではない。実施例及び比較例は、導電性シートとして表１に示した導電層樹脂とスチレン系樹脂組成物を表３で示した組み合せにおいて、導電層樹脂／スチレン系樹脂組成物／導電性樹脂の構成で、３層共押出シーティングで０．３ｍｍ厚みシート（層構成比率：１０／８０／１０）を作製したものを使用した。表２は、表１に示したスチレン系樹脂組成物を単層押出シーティングで０．３ｍｍ厚みシートに作製し、引張伸度及びスリット性を測定した結果を示した。
実施例１２においては、スチレン系樹脂組成物▲９▼を単層押出シーティングで作製した０．３ｍｍ厚みシートに、表裏面を導電コーティング（大日精化工業（株）製、セイカセブンＣＤ−５１）して導電シートを作製したものを使用した。
導電層樹脂及びスチレン系樹脂組成物については、表１に記載した配合のものを二軸押出機によりコンパウンドしたものを用いた。エンボスキャリヤテープの機械強度（割れ性）評価には、得られたシートを圧空成形にて成形したものを用いた。表面固有抵抗値測定は、ＪＩＳ  Ｋ６９１１に従い測定した。引張伸度は、ＪＩＳ  Ｋ６７３４に従い測定した。
【００１６】
エンボスキャリヤテープの機械強度（割れ性）評価については、ポケット間のリブ部で１８０°折り曲げを手にて１０回行った。
◎：折り曲げ１０回後にも割れが発生しなかった場合
○：折り曲げ５回後に割れが発生しなかったが、折り曲げ１０回後までに割れが発生した場合
×：折り曲げ５回後までに割れが発生した場合
スリット性の評価については、スチレン系樹脂シート（ナチュラル）にてスリット側面ヒゲが発生するリング状スリット上・下刃の組み合せにてスリットを行い、スリット後原反の側面状態を観察した。
◎：スリット側面ヒゲの発生無し
○：スリット側面ヒゲが０．５ｍｍ長未満発生有り
×：スリット側面ヒゲが０．５ｍｍ長以上発生有り
スチレン系樹脂組成物よりなる単層シートの折り曲げ評価については、シートを１８０°曲げて割れの発生状態を観察した。
○：割れ発生無し
×：割れ発生有り
【００１７】
【表１】
2004185928.tif 000002
ＡＢＳ    ：サンタックＥＴ−７０      日本エイアンドエル（株）製
ＨＩＰＳ  ：ＨＴ５１６                Ａ＆Ｍスチレン（株）製
ＬＬＤＰＥ：スミカセン−ＬＦＳ２４０  住友化学工業（株）製
ＳＢＲ    ：タフプレン１２５          旭化成工業（株）製
ＳＥＢＳ  ：タフテックＨ１０５２      旭化成工業（株）製
ＥＶＡ    ：エバフレックスＰ２５０５  三井デュポン・ポリケミカル（株）製
ＥＭＭＡ  ：アクリフトＷＨ３０２      住友化学工業（株）製
カーホ゛ンフ゛ラック：デンカブラック粒状体      電気化学工業（株）製
炭酸カルシウム  ：カルファイン１００        丸尾カルシウム（株）製
【００１８】
【表２】
2004185928.tif 000003
【００１９】
【表３】
2004185928.tif 000004
【００２０】
【表４】
2004185928.tif 000005
【００２１】
【発明の効果】
以上のように、本発明の導電性シート及び電子部品搬送用容器は、シートに優れたスリット性を賦与するスチレン系樹脂組成物よりなるシートを基材にする事により表面導電性、スリット性及び機械物性（割れ性）のバランスの取れた、従来の問題点を克服したものである。